(57)【特許請求の範囲】
【請求項１】
口金ソケットおよびアース端子受け治具を備えた照明器具に取り付けられ直流点灯されるＬＥＤランプであって、
長尺状の基板にその長手方向に沿って複数のＬＥＤが実装されたＬＥＤモジュールと、
前記ＬＥＤモジュールが内部に収容され、少なくとも一部が導電性部材で構成された長尺状の外殻と、
当該外殻の長手方向一端側に配置され、前記口金ソケットに装着される口金と、
前記外殻の長手方向他端側に配置され、前記導電性部材と電気的に接続されたアース端子を有し、前記アース端子受け治具に装着されるアース部材と、
を備えることを特徴とするＬＥＤランプ。
【請求項２】
前記導電性部材は、前記ＬＥＤモジュールと熱的に接触したヒートシンクであることを特徴とする請求項１記載のＬＥＤランプ。
【請求項３】
直管蛍光灯型であることを特徴とする請求項１または２に記載のＬＥＤランプ。
【請求項４】
前記口金は、前記口金ソケットに装着された状態において前記口金ソケットの被掛止部と係合する掛止部を有することを特徴とする請求項１から３のいずれかに記載のＬＥＤランプ。
【請求項５】
前記口金は一対の口金ピンを有することを特徴とする請求項１から４のいずれかに記載のＬＥＤランプ。
【請求項６】
前記口金はＤＣプラグまたはＤＣジャックを有することを特徴とする請求項１から４のいずれかに記載のＬＥＤランプ。
【請求項７】
請求項１から４のいずれかに記載のＬＥＤランプが取り付けられる照明器具であって、前記口金が装着される口金ソケットと、前記アース部材が装着されるアース端子受け治具とを備えることを特徴とする照明器具。
【請求項８】
前記口金ソケットは、前記口金を回転させて装着する装着構造であって、
前記口金は一対の口金ピンを有すると共に、前記口金ソケットは前記一対の口金ピンへの給電用の一対の給電端子を有し、
前記一対の給電端子は、前記口金を回転させる前は前記一対の口金ピンと電気的に接続されず、かつ、前記口金を回転させ終えた後は前記一対の口金ピンと電気的に接続される位置に配置されていることを特徴とする請求項７記載の照明器具。
【請求項９】
前記アース端子受け治具は、前記アース部材を回転させて装着する装着構造であって、
前記アース端子受け治具は、前記アース端子と電気的に接続される導電端子を有し、
前記導電端子は、前記アース部材を回転させる前は前記アース端子と電気的に接続されず、かつ、前記アース部材を回転させ終えた後は前記アース端子と電気的に接続される位置に配置されていることを特徴とする請求項７または８に記載の照明器具。
【発明の詳細な説明】
【技術分野】
【０００１】
本発明は、ＬＥＤランプおよび照明器具に関し、特に、直管蛍光灯の代替品として好適な直管蛍光灯型のＬＥＤランプに関する。
【背景技術】
【０００２】
寿命による交換頻度を低減すると共に省電力化を図るため、蛍光灯よりも長寿命かつ省電力であるＬＥＤランプが蛍光灯の代替品として提案されている。
例えば、直管蛍光灯の代替品となる直管蛍光灯型のＬＥＤランプの場合、蛍光灯に応じた長さを有する長尺状の基板と、当該基板上に長手方向に沿って実装された複数個のＬＥＤとを備えた構成を有する。そして、基板のＬＥＤとは反対側には外殻の一部を構成するアルミニウム製のヒートシンクが取り付けられ、そのヒートシンクによる放熱効果によって、ＬＥＤの温度上昇を抑えてＬＥＤの発光効率の低下を防止している。また、ＬＥＤランプにはＡＣ／ＤＣコンバータを含む点灯回路が内蔵されており、照明器具から入力される交流電圧を前記点灯回路によって直流電圧に変換しＬＥＤに供給し点灯させている。
【０００３】
このような交流点灯型のＬＥＤランプは、ＬＥＤランプに点灯回路が内蔵されているためＬＥＤで生じる熱によって点灯回路の寿命が縮まり易く、そのためＬＥＤランプ自体の寿命も縮まり易い。また、点灯回路で生じる熱によってＬＥＤの温度が上昇しＬＥＤの発光効率が低下するおそれもある。さらに、点灯回路の内蔵はＬＥＤランプの大型化や高価格化の原因にもなる。そこで、ＡＣ／ＤＣコンバータを含む点灯回路をランプ外部の例えば照明器具等に設ける等して、ＬＥＤランプの口金には直流電圧が供給される構成とし、この構成で点灯させる直流点灯型のＬＥＤランプの開発が進められている。
【先行技術文献】
【特許文献】
【０００４】
【特許文献１】特開２００８−１０３３０４号公報
【特許文献２】特開２００９−２６６４３２号公報
【特許文献３】特開２００８−２８２７９３号公報
【発明の概要】
【発明が解決しようとする課題】
【０００５】
ところで、ヒートシンクは、アルミニウム製であるため導電性を有するが、ＬＥＤランプを照明器具に取り付けられた状態において接地されていない。そのため、ＬＥＤモジュールや照明器具からにヒートシンクに電流が漏れた場合に、ヒートシンクに触れると感電のおそれがある。特に、直流点灯型のＬＥＤランプの場合、ヒートシンクの対地電圧が、電源電圧とランプ電圧との単純な総和となり、交流点灯型のＬＥＤランプの場合の対地電圧の実効値よりも大きくなるため、感電のおそれが大きい。
【０００６】
本発明は、上記の課題に鑑み、感電のおそれが小さい直流点灯型のＬＥＤランプおよび照明器具を提供することを目的とする。
【課題を解決するための手段】
【０００７】
上記目的を達成するために、本発明に係るＬＥＤランプは、口金ソケットおよびアース端子受け治具を備えた照明器具に取り付けられ直流点灯されるＬＥＤランプであって、長尺状の基板にその長手方向に沿って複数のＬＥＤが実装されたＬＥＤモジュールと、前記ＬＥＤモジュールが内部に収容され、少なくとも一部が導電性部材で構成された長尺状の外殻と、当該外殻の長手方向一端側に配置され、前記口金ソケットに装着される口金と、前記外殻の長手方向他端側に配置され、前記導電性部材と電気的に接続されたアース端子を有し、前記アース端子受け治具に装着されるアース部材と、を備えることを特徴とする。
【０００８】
また、本発明に係る照明器具は、上記ＬＥＤランプが取り付けられる照明器具であって、前記口金が装着される口金ソケットと、前記アース部材が装着されるアース端子受け治具とを備えることを特徴とする。
【発明の効果】
【０００９】
本発明に係るＬＥＤランプおよび照明器具は、ＬＥＤランプの外殻の少なくとも一部を構成する導電性部材と電気的に接続されたアース端子を有するアース部材が、照明器具のアース端子受け治具に装着されるため、導電性部材に電流が漏れたとしても感電のおそれが小さい。
【図面の簡単な説明】
【００１０】
【図１】本実施の形態に係るＬＥＤランプを示す一部破断平面図
【図２】図１におけるＡ−Ａ線断面図
【図３】図１におけるＢ−Ｂ線断面図
【図４】図１におけるＣ−Ｃ線断面図
【図５】ＬＥＤランプの照明器具への取り付け状態を説明するための図
【図６】ＬＥＤランプおよび照明器具の回路図
【図７】変形例１に係るＬＥＤランプを示す一部破断平面図
【図８】変形例２に係る口金およびアース部材の装着構造を説明するための模式図
【図９】変形例３に係る口金を示す図
【図１０】変形例４に係る口金を示す図
【図１１】変形例５に係る口金を示す図
【図１２】変形例６に係る口金を示す図
【図１３】変形例７に係る口金を示す図
【図１４】変形例７に係る口金ソケットを示す斜視図
【図１５】変形例７に係る口金ソケットの開状態を示す図
【図１６】変形例７に係る口金ソケットの閉状態を示す図
【図１７】変形例７に係る口金の口金ソケットへの取り付け態様を説明するための図
【図１８】変形例７に係る口金を口金ソケットへの取り付けた状態を示す図
【発明を実施するための形態】
【００１１】
以下、本発明に係るＬＥＤランプおよび照明器具の実施の形態について、図面を参照しながら説明する。
［実施の形態］
図１は、本実施の形態に係るＬＥＤランプを示す一部破断平面図であり、図２は、図１におけるＡ−Ａ線断面図であり、図３は、図１におけるＢ−Ｂ線断面図であり、図４、図１におけるＣ−Ｃ線断面図である。
【００１２】
図１および図２に示すように、本実施の形態に係るＬＥＤランプ１００は、直管蛍光灯の代替品となる直管蛍光灯型のＬＥＤランプであって、ＬＥＤモジュール１１０、ヒートシンク１２０、カバー１３０、口金１４０およびアース部材１５０を備える。なお、ヒートシンク１２０とカバー１３０とでＬＥＤモジュール１１０の外殻１０１が構成されている。
【００１３】
ＬＥＤモジュール１１０は、長尺直線状の基板１１１を有し、当該基板１１１の実装面１１２には、基板１１１の長手方向に沿って複数個のＬＥＤ１１３が例えば一列に直線状に実装されていると共に、温度ヒューズ１１４および電流ヒューズ１１５がそれぞれ１つずつ実装されている。複数のＬＥＤ１１３、温度ヒューズ１１４および電流ヒューズ１１５は、基板１１１の実装面１１２に形成された配線パターン１１６によって電気的に、例えば直列接続されている。例えば、ＬＥＤ１１３の電圧は１つが３．３Ｖであって、それが３０個実装され直列接続されることによりＬＥＤランプ１００全体としてのランプ電圧は３．３Ｖ×３０＝９９Ｖとなる。
【００１４】
基板１１１は、例えば、金属ベースプリント配線板、ガラスコンポジット基板、ガラスエポキシ基板等とすることが考えられる。ＬＥＤ１１３で生じる熱をヒートシンク１２０へ効率良く伝導させるためには、基板１１１の熱伝導性が高いことが好ましい。
【００１５】
ＬＥＤ１１３は、例えば表面実装（ＳＭＤ）型の白色ＬＥＤである。なお、ＬＥＤ１１３は、表面実装型のものに限らず、例えば、基板１１１にＬＥＤチップをフリップチップ実装またはワイヤーボンディング実装し、前記ＬＥＤチップを蛍光体分散樹脂で封止した構成であっても良い。この場合、例えば、ＬＥＤチップを青色発光するものとし、蛍光体分散樹脂の樹脂をシリコーン樹脂とし、蛍光体を黄緑色蛍光体（例えば(Ｂａ,Ｓｒ)2ＳｉＯ4:Ｅｕ2+やＹ3(Ａｌ,Ｇａ)5Ｏ12:Ｃｅ3＋）と赤色蛍光体（Ｓｒ2Ｓｉ5Ｎ8:Ｅｕ2+や（Ｃａ,Ｓｒ）Ｓ:Ｅｕ2+や(Ｂａ,Ｓｒ,Ｃａ)ＡｌＳｉＮ3:Ｅｕ2+）との混合物とすることが考えられる。
【００１６】
ヒートシンク１２０は、例えば、長尺直線状のアルミニウム製であって、基板１１１の背面１１７（実装面１１２とは反対側の面）に、基板１１１と長手方向を揃えて配置されており、例えば接着やねじ止め等で基板１１１に固定されている。ヒートシンク１２０とＬＥＤモジュール１１０とは熱的に接触しており、ＬＥＤ１１３で生じた熱は、基板１１１を介してヒートシンク１２０に伝導し、ヒートシンク１２０から放射により放熱される。ヒートシンク１２０と基板１１１とを面接触させることによって、高い放熱効果を得ることができる。
【００１７】
なお、ヒートシンク１２０は、アルミニウム製のものに限定されないが、熱伝導性が良くかつ軽量であることが好ましい。また、ヒートシンク１２０は、どのような形状であっても良いが、ＬＥＤモジュール１１０からの出射光を遮らない形状であることが好ましい。
【００１８】
図３および図４に示すように、カバー１３０は、例えば、横断面形状が略円弧形の長尺状であって、ヒートシンク１２０と長手方向を揃えて配置されており、一対の側端部（短手方向端部）１３１，１３２を、ヒートシンク１２０の側面１２１，１２２に設けられた溝１２３，１２４に嵌め込むことによって、ＬＥＤモジュール１１０を覆った状態でヒートシンク１２０に取り付けられている。
【００１９】
カバー１３０は、例えば、ポリカーボネート等の樹脂やガラス等の透光性材料で形成されている。なお、ガラスは、熱伝導率が高く（ポリカーボネートの５倍程度）、ＬＥＤの温度上昇を抑制するための放熱効果が高いため、カバー１３０の材料として好適である。
【００２０】
図２に戻って、口金１４０は、キャップ状をした本体１４１および一対の口金ピン１４２，１４３を有し、外殻１０１の長手方向一端側に配置されている。本体１４１は、例えば、シリコン樹脂等の耐熱性の合成樹脂からなる。一対の口金ピン１４２，１４３は、例えばアルミニウムや銅等の金属からなり、本体１４１に設けられた貫通孔１４４，１４５を貫通するようにそれぞれ圧入により本体１４１に植設されており、ＬＥＤモジュール１１０の配線パターン１１６とリード線１４６，１４７を介して電気的に接続されている。
【００２１】
アース部材１５０は、キャップ状をした本体１５１、一対のアース端子１５２，１５３および導電部材１５４を有し、外殻１０１の長手方向他端側に配置されている。本体１５１は、例えば、シリコン樹脂等の耐熱性の合成樹脂からなる。一対のアース端子１５２，１５３は、例えば、アルミニウムや銅等の金属からなり、本体１５１の設けられた貫通孔１５５，１５６を貫通するようにそれぞれ圧入により本体１５１に植設されている。
【００２２】
導電部材１５４は、導電性を有する略方形板状の部材であって、本体１５１のヒートシンク１２０側に配置されており、例えば接着やビス止め等で本体１５１に固定されている。導電部材１５４には、本体１５１の貫通孔１５５，１５６に対応させた位置に貫通孔１５７，１５８が設けられており、一対のアース端子１５２，１５３は、導電部材１５４の貫通孔１５７，１５８に挿入した状態で、例えば半田付け、溶接、導電性接着剤による接着等で導電部材１５４と電気的に接続されている。
【００２３】
導電部材１５４は、ヒートシンク１２０側の面１５９がヒートシンク１２０と面接触しており、この接触により導電部材１５４とヒートシンク１２０とが電気的に接続されている。なお、導電部材１５４とヒートシンク１２０との電気的な接続は単なる接触によるものに限定されず、例えば半田付け、溶接、導電性接着剤による接着等により電気的だけでなく機械的にも接続された構成であっても良い。
【００２４】
なお、導電部材１５４は本発明には必須ではなく、ヒートシンク１２０とアース端子１５２，１５３とが電気的に接続されていれば導電部材１５４の有無は問わない。したがって、例えば、アース端子１５２，１５３とヒートシンク１２０とが直接電気的に接続された構成であっても良い。
【００２５】
図５は、ＬＥＤランプの照明器具への取り付け状態を説明するための図である。図５に示すように、照明器具２００は、筐体２１０、口金ソケット２２０、点灯回路２３０およびアース端子受け治具２４０を備える。
【００２６】
筐体２１０は、例えば、下面が開口した略箱状であって、上面２１１が天井等への取付面となっており、内面２１２は光反射面となっており、内部にＬＥＤランプ１００が収納されている。また、筐体２１０の上面２１１には点灯回路２３０が取り付けられており、筐体２１０の内部には、口金ソケット２２０およびアース端子受け治具２４０が互いに対向するように取り付けられている。
【００２７】
口金ソケット２２０には、口金ピン１４２，１４３と電気的に接続される板ばね状の給電端子２２１，２２２が内蔵されており、口金ソケット２２０に設けられたピン孔２２３，２２４に口金ピン１４２，１４３を差し込むと、口金ピン１４２，１４３と給電端子２２１，２２２とが電気的に接続される。
【００２８】
点灯回路２３０は、商用交流電源からの交流電圧を直流電圧に変換し、その直流電圧を口金ソケット２２０を介してＬＥＤランプ１００の口金１４０に供給し、ＬＥＤ１１４を点灯させる。当該点灯回路２３０と商用交流電源とは、電力供給線２３１を介して接続されており、点灯回路２３０と口金ソケット２２０の一対の給電端子２２１，２２２とは電力供給線２３２を介して接続されている。なお、電力供給線２３２は、給電端子２２１，２２２側が２つの配線２３２ａ，２３２ｂに分岐されており、それぞれ給電端子２２１，２２２と電気的に接続されている。
【００２９】
図６は、ＬＥＤランプおよび照明器具の回路図である。なお、図においてＬＥＤ１１４は数を省略して記載している。図６に示すように、点灯回路２３０は、例えば定電流直流回路２３３を備える。なお、定電流直流回路２３３は、例えば整流ダイオード、平滑コンデンサなどを利用して構成することが考えられる。
【００３０】
図５に戻って、アース端子受け治具２４０には、アース端子１５２，１５３と電気的に接続される板ばね状の導電端子２４１，２４２が内蔵されており、アース端子受け治具２４０に設けられた端子孔２４３，２４４にアース端子１５２，１５３を差し込むと、アース端子１５２，１５３と導電端子２４１，２４２とが電気的に接続される。
【００３１】
導電端子２４１，２４２は、アース線２４５を介して接地されている。アース線２４５は、導電端子２４１，２４２側が２つの導電線２４５ａ，２４５ｂに分岐しており、それぞれ導電端子２４１，２４２と電気的に接続されている。
【００３２】
アース端子受け治具２４０は、筐体２１０の内面２１２に取り付けられた治具保持部材２５０によって保持されている。治具保持部材２５０は、アース端子受け治具２４０を口金ソケット２２０側に付勢する付勢体２５１，２５２と、アース端子受け治具２４０のランプ長手方向への移動を一定範囲に規制するためにアース端子受け治具２４０のスリット溝２４６，２４７内に嵌め込まれた爪部２５３，２５４とを有し、アース端子受け治具２４０は治具保持部材２５０に対して摺動可能である。
【００３３】
ＬＥＤランプ１００を照明器具２００に取り付ける際は、まず、アース部材１５０のアース端子１５２，１５３をアース端子受け治具２４０の端子孔２４３，２４４に差し込みながらアース部材１５０でアース端子受け治具２４０を口金ソケット２２０から遠ざける方向に移動させる。これにより、アース端子受け治具２４０と口金ソケット２２０との間の距離が広がる。次に、ＬＥＤランプ１００を口金ソケット２２０側に移動させ、口金１４０の口金ピン１４２，１４３を口金ソケット２２０のピン孔２２３，２２４に差し込んで口金１４０を口金ソケット２２０に装着する。アース端子受け治具２４０が付勢体２５１，２５２により口金ソケット２２０側へ付勢されているため、アース端子受け治具２４０と口金ソケット２２０とによってＬＥＤランプ１００は保持される。
【００３４】
ＬＥＤランプ１００を装着することによって、口金ピン１４２，１４３と給電端子２２１，２２２とが電気的に接続されるため、照明器具２００から口金１４０へ直流電圧が入力される。また、ヒートシンク１２０は、導電部材１５４、アース端子１５２，１５３、導電端子２４１，２４２およびアース線２４５を介して接地される。
【００３５】
ヒートシンク１２０はアルミニウム製であるため導電性を有する。したがって、ＬＥＤモジュール１１０や点灯回路２３０の漏電等によりヒートシンク１２０に電流が流れる可能性がある。しかしながら、ＬＥＤランプ１００を照明器具２００に取り付けた状態において、ヒートシンク１２０は接地された状態になっており電位を持たない。したがって、ヒートシンク１２０に触れても感電することがない。
【００３６】
なお、カバー１３０が導電性の材料からなる場合も、カバー１３０はヒートシンク１２０に取り付けられているため、接地された状態となっており、カバー１３０に触れても感電のおそれがない。
【００３７】
［変形例］
以上、本発明に係るＬＥＤランプおよび照明器具を実施の形態に基づいて具体的に説明してきたが、本発明に係るＬＥＤランプおよび照明器具は、上記の実施の形態に限定されない。例えば、以下のような変形例が考えられる。
【００３８】
（変形例１）
図７は、変形例１に係るＬＥＤランプ等を示す平面図である。なお、照明器具の口金ソケットおよびアース端子受け治具は断面で表している。図７に示すように、変形例１に係るＬＥＤランプ３００は、環形蛍光ランプ型である点において、上記実施の形態に係るＬＥＤランプ１００と大きく相違する。以下では、相違点のみを説明し、ＬＥＤランプ１００と同様の点ついては重複を避けるため説明を省略する。
【００３９】
図７に示すように、変形例１に係るＬＥＤランプ３００は、環形蛍光灯の代替品であって、ＬＥＤモジュール３１０、ヒートシンク３２０、カバー３３０、口金３４０およびアース部材３５０を備え、ヒートシンク３２０とカバー３３０とで外殻３０１が構成されている。
【００４０】
ＬＥＤモジュール３１０は、長尺円弧状の基板３１１を有し、基板３１１に複数のＬＥＤ３１３が基板３１１の長手方向に沿って一列に、すなわち円弧状に一列に実装されている。ヒートシンク３２０とカバー３３０も、基板３１１の形状に合わせた長尺円弧状であって、それらで構成される外殻３０１も長尺円弧状である。
【００４１】
ＬＥＤランプ３００の口金３４０は照明器具の口金ソケット２２０に装着され、アース部材３５０はアース端子受け治具２４０に装着される。図７に示す例では、口金ソケット２２０およびアース端子受け治具２４０は照明器具の筐体（不図示）に固定されておらず、筐体とは電力供給線２３２またはアース線２４５によって繋がっているだけである。したがって、口金ソケット２２０およびアース端子受け治具２４０ではＬＥＤランプ３００を保持することはできず、ＬＥＤランプ３００は筐体に別途取り付けられたランプ保持部材（不図示）によって保持される。
【００４２】
このように、本発明に係るＬＥＤランプは直管蛍光灯の代替品に限定されず、環形蛍光灯やＵ形蛍光灯など直管蛍光灯以外の形の蛍光灯の代替品であっても良く、外殻の形状は直線状に限定されず、例えば円弧状やＵ字状等であっても良い。
【００４３】
（変形例２）
図８は、変形例２に係る口金およびアース部材の装着構造を説明するための模式図であって、（ａ）は口金回転前の状態、（ｂ）は口金回転後の状態を示す。
【００４４】
口金ソケット２２０は、口金１４０を回転させ装着する装着構造であっても良い。その場合、口金ソケット２２０の一対の給電端子２２１，２２２は、図８（ａ）に示すように口金１４０を回転させる前は、一対の口金ピン１４２，１４３と電気的に接続されず、かつ、図８（ｂ）に示すように口金１４０を回転させ終えた後は、一対の口金ピン１４２，１４３と電気的に接続される位置に配置することが考えられる。
【００４５】
このように、口金１４０を回転させ終えた後、すなわち口金ソケット２２０に口金１４０を装着し終えた際に、口金ピン１４２，１４３と給電端子２２１，２２２とが電気的に接続される構成とすることで、照明器具２００にＬＥＤランプ１００を取り付ける途中でＬＥＤランプ１００に電流が流れてしまうのを防止することができ、ランプ取り付け時の安全性をより向上させることができる。
【００４６】
また、アース端子受け治具２４０は、アース部材１５０を回転させ装着する装着構造であっても良い。その場合、アース端子受け治具２４０の一対の導電端子２４１，２４２は、図８（ａ）に示すようにアース部材１５０を回転させる前は、一対のアース端子１５２，１５３と電気的に接続されず、かつ、図８（ｂ）に示すようにアース部材１５０を回転させた後は、一対のアース端子１５２，１５３と電気的に接続される位置に配置することが考えられる。
【００４７】
このように、アース部材１５０を回転させ終えた後、すなわちアース端子受け治具２４０にアース部材１５０を装着し終えた際に、アース端子１５２，１５３と導電端子２４１，２４２とが電気的に接続される構成とすることで、照明器具２００にＬＥＤランプ１００を取り付ける途中で、アース端子１５２，１５３を介してヒートシンク１２０に電流が流れ、ＬＥＤランプ１００を持つ手を離して落としてしまう等の事故を防止することができ、ランプ取り付け時の安全性をより向上させることができる。
【００４８】
（変形例３）
本発明に係る口金の構成は、上記実施の形態に限定されず、例えば以下のよう構成であっても良い。図９は、変形例３に係る口金を示す図であって、（ａ）は斜視図、（ｂ）は正面図、（ｃ）は平面図、（ｄ）は底面図、（ｅ）は左側面図、（ｆ）は右側面図である。
【００４９】
図９に示す変形例３に係る口金４４０は、一対の口金ピン４４１，４４２が突設されたピン突設面４４３よりも口金ピン４４１，４４２の突出方向に膨出した凸部４４４と、ピン突設面４４３よりも前記突出方向と反対方向に凹入した凹部４４５とを有する。この口金４４０が装着される口金ソケット（不図示）は、口金４４０の凸部４４４に対応する位置に凹部を有し、かつ、口金４４０の凹部４４５に対応する位置に凸部を有する。
【００５０】
このような構成により、本発明に係るＬＥＤランプが既存の照明器具に誤って取り付けられることを防止できるとともに、本発明に係る照明器具に既存のＬＥＤランプが誤って取り付けられることも防止できる。なお、このような効果を得るためには、必ずしも凸部４４４と凹部４４５の両方が不可欠なわけではなく、いずれか一方のみであっても良い。
【００５１】
また、口金４４０の凹部４４５には、口金ソケットに設けられた被掛止部（不図示）に係合される掛止部４４６が設けられており、前記被掛止部に掛止部４４６を係合させることによっても口金４４０は口金ソケットに保持される。例えば、口金ソケットの被掛止部は鉤状のものであって、口金４４０を口金ソケットに回転装着する際に、口金４００に設けられた掛止部４４６の鉤孔４４７に被掛止部を引っ掛けることで、口金４００は口金ソケットに掛止される。このような構成とすることで、照明器具からのＬＥＤランプの落下を防止することができる。
【００５２】
（変形例４）
また、本発明に係る口金は以下のような構成であっても良い。図１０は、変形例４に係る口金を示す図であって、（ａ）は斜視図、（ｂ）は正面図、（ｃ）は平面図、（ｄ）は底面図、（ｅ）は左側面図、（ｆ）は右側面図である。
【００５３】
図１０に示す変形例４に係る口金５４０は、変形例３に係る口金４４０と同形状の、一対の口金ピン５４１，５４２、ピン突設面５４３、凸部５４４および凹部５４５を有し、凹部５４５には鉤孔５４７を有する掛止部５４６が設けられている。さらに、凹部５４５には、第２の掛止部５４８が設けられている。第２の掛止部を設けることで、より照明器具から落下し難いＬＥＤランプとすることができる。
【００５４】
（変形例５）
また、本発明に係る口金は以下のような構成であっても良い。図１１は、変形例５に係る口金を示す図であって、（ａ）は斜視図、（ｂ）は正面図、（ｃ）は平面図、（ｄ）は底面図、（ｅ）は左側面図、（ｆ）は右側面図である。
【００５５】
図１１に示す変形例５に係る口金６４０も、一対の口金ピン６４１，６４２、ピン突設面６４３、凸部６４４および凹部６４５を有し、凹部６４５ではなく凸部６４４に鉤孔６４７を有する掛止部６４６が設けられている。
【００５６】
（変形例６）
また、本発明に係る口金は以下のような構成であっても良い。図１２は、変形例６に係る口金を示す図であって、（ａ）は斜視図、（ｂ）は正面図、（ｃ）は平面図、（ｄ）は底面図、（ｅ）は左側面図、（ｆ）は右側面図である。
【００５７】
図１２に示す変形例６に係る口金７４０も、一対の口金ピン７４１，７４２、ピン突設面７４３、凸部７４４および凹部７４５（図１２（ｅ）参照）を有し、口金７４０の側面７４８に鉤孔７４７を有する掛止部７４６が設けられている。
【００５８】
（変形例７）
図１３は、変形例７に係る口金を示す図であって、（ａ）は斜視図、（ｂ）は正面図、（ｃ）は平面図、（ｄ）は底面図、（ｅ）は左側面図、（ｆ）は右側面図である。図１３に示す口金８４０は、一対の口金ピンの代わりに、ＤＣジャック８４１（図１３（ｄ）参照）を有している。また、口金８４０は、口金ソケットに当接される面８４２に凸部８４３および凹部８４４を有し、ＬＥＤランプと照明器具との誤った組み合わせでの取り付けが防止されている。さらに、鉤孔８４５を有する掛止部８４６が設けられており、ＬＥＤランプの落下が防止されている。
【００５９】
口金８４０は、図１４〜１６に示すような口金ソケット９２０に装着される。図１４は、変形例７に係る口金ソケットを示す斜視図であって、（ａ）は開状態、（ｂ）は閉状態を示す。  図１５は、変形例７に係る口金ソケットの開状態を示す図であって、（ａ）は斜視図、（ｂ）は正面図、（ｃ）は平面図、（ｄ）は底面図、（ｅ）は左側面図、（ｆ）は右側面図である。図１６は、変形例７に係る口金ソケットの閉状態を示す図であって、（ａ）は斜視図、（ｂ）は正面図、（ｃ）は平面図、（ｄ）は底面図、（ｅ）は左側面図、（ｆ）は右側面図である。
【００６０】
図１４に示すように、口金ソケット９２０は、口金８４０のＤＣジャック８４１に接続されるＤＣプラグ９２１を有する。ＤＣプラグ９２１は、一端部が回転自在に支持された支持部９２２（例えば棒状）の他端部に設けられている。支持部９２２を回転させることによって、口金ソケット９２０を図１４（ａ）および図１５に示すような開状態と、図１４（ｂ）および図１６に示すような閉状態とに変形させることができる。
【００６１】
また、図１４に示すように、口金ソケット９２０は、口金８４０に当接される面９２３に、口金８４０の凸部８４３に合わせた形状の凹部９２４と、口金８４０の凹部８４４に合わせた形状の凸部９２５とを有し、ＬＥＤランプと照明器具の誤った組み合わせによる取り付けが防止されている。さらに、口金８４０の掛止部８４６の鉤孔８４５に嵌まり込む鉤状の被掛止部９２６を有し、ＬＥＤランプの落下が防止されている。
【００６２】
図１７は、変形例７に係る口金の口金ソケットへの取り付け態様を説明するための図である。図１８は、変形例７に係る口金を口金ソケットへの取り付けた状態を示す図であって、（ａ）は斜視図、（ｂ）は正面図、（ｃ）は平面図、（ｄ）は底面図、（ｅ）は左側面図、（ｆ）は右側面図である。なお、図１７及び図１８においてＬＥＤランプの外殻は模式的に表している。
【００６３】
図１７に示すように、口金ソケット９２０に口金８４０を取り付ける場合は、まず、口金８４０の凸部８４３が口金ソケット９２０の凹部９２４に嵌まり込み、口金ソケット９２０の凸部９２５が口金８４０の凹部８４４に嵌まり込むように、口金８４０の口金ソケット当接面８４２と口金ソケット９２０の口金当接面９２３とを対向させる。
【００６４】
そして、口金８４０を回転させて、口金ソケット９２０の被掛止部９２６に口金８４０の掛止部８４６を引っ掛ける。次に、今度は支持部９２２を回転させて、当該支持部９２２を口金８４０に設けられた溝部８４７（図１３（ｄ）参照）内に嵌め込むことによって、口金ソケット９２０のＤＣプラグ９２１が口金８４０のＤＣジャック８４１と接続される。なお、口金ソケットがＤＣジャックを有し、口金がＤＣプラグを有する構成であっても良い。
【００６５】
（その他の変形例）
上記実施の形態では、外殻が、導電性部材としてのヒートシンクと、カバーとで構成されていたが、本発明に係る外殻はこの構成に限定されず、少なくとも一部が導電性部材で構成されていれば良い。したがって、外殻全体が導電性部材であっても良い。また、外殻がヒートシンクとして全く機能しない構成であっても良い。
【００６６】
上記実施の形態では、アース部材が一対のアース端子を有していたが、アース端子は一対、すなわち２つに限定されず、１つでも３以上の複数であっても良い。また、アース端子受け治具の導電端子も一対、すなわち２つに限定されず、１つでも３以上の複数であっても良い。
【００６７】
上記実施の形態では、ＬＥＤモジュールを１つの基板で構成したが、これに限らず、２つ以上の基板を電気的に接続連結してＬＥＤモジュールを構成しても良い。また、上記実施の形態では、基板に複数個のＬＥＤを一列に設けたが、これに限らず２列以上に列設しても構わない。また、ＬＥＤモジュールを構成するＬＥＤの個数も任意である。さらに、上記実施の形態では、複数個のＬＥＤの全てを直列に接続したが、これに限らず、所定個数ずつを直列に接続したもの同士を並列に接続する、または、所定個数ずつを並列に接続したもの同士を直列に接続する、いわゆる直並列接続しても良い。
【００６８】
カバーは、その内周面または外周面に光散乱剤を塗布しても構わない。例えば、内周面に、光散乱剤としてアルミナの粉体を塗布することとしても構わない。これにより、ＬＥＤからの光が拡散されて均一化されてカバーから出射されると共に、当該アルミナ粉体による熱伝導効果により放熱性が改善される。
【産業上の利用可能性】
【００６９】
本発明に係るＬＥＤランプおよび照明器具は、例えば、直管蛍光灯の代替照明として用いられる直管蛍光灯型のＬＥＤランプに好適に利用可能である。
【符号の説明】
【００７０】
１００，３００  ＬＥＤランプ
１０１，３０１  外殻
１１０，３１０  ＬＥＤモジュール
１１１，３１１  基板
１１３，３１３  ＬＥＤ
１１７  反対側の面
１２０  導電性部材（ヒートシンク）
１４０，３４０，４４０，５４０，６４０，７４０，８４０  口金
１４２，１４３，４４１，４４２，５４１，５４２，６４１，６４２，７４１，７４２  口金ピン
１５０  アース部材
１５２，１５３  アース端子
２００  照明器具
２２０，９２０  口金ソケット
２２１，２２２  給電端子
２４０  アース端子受け治具
２４１，２４２  導電端子
４４６，５４６，６４６，７４６，８４６  掛止部
８４１  ＤＣジャック
９２６  被掛止部
【図１】
0005513281.tif 000002
【図２】
0005513281.tif 000003
【図３】
0005513281.tif 000004
【図４】
0005513281.tif 000005
【図５】
0005513281.tif 000006
【図６】
0005513281.tif 000007
【図７】
0005513281.tif 000008
【図８】
0005513281.tif 000009
【図９】
0005513281.tif 000010
【図１０】
0005513281.tif 000011
【図１１】
0005513281.tif 000012
【図１２】
0005513281.tif 000013
【図１３】
0005513281.tif 000014
【図１４】
0005513281.tif 000015
【図１５】
0005513281.tif 000016
【図１６】
0005513281.tif 000017
【図１７】
0005513281.tif 000018
【図１８】
0005513281.tif 000019